(57)【要約】【課題】ユーザの意思でワンセグと１２セグを切り替え可能にする、また、それを支援するデジタル放送受信装置を提供する。【解決手段】デジタル放送受信装置は、ワンセグ放送を受信するための第１の受信部（１０）と、１２セグ放送を受信するための第２の受信部（２０）と、第１及び第２の受信部に受信すべき周波数を設定するとともに当該周波数の電波状況及び当該周波数で送信される多重化トランスポートストリームを取得するチューニング部（３０）と、取得された多重化トランスポートストリームに対してデマックス処理を行うデマックス部（４０）と、取得された電波状態及びデマックス処理の結果得られたＳＩ情報に基づいて、ワンセグ放送及び１２セグ放送のそれぞれに係る情報を混在させたチャンネルリストを生成するチャンネルリスト生成部（７０）とを備えている。【選択図】図１
2008136084.tif 000002
【特許請求の範囲】
【請求項１】
ワンセグ放送を受信するための第１の受信部と、
１２セグ放送を受信するための第２の受信部と、
前記第１及び第２の受信部に受信すべき周波数を設定するとともに当該周波数の電波状況及び当該周波数で送信される多重化トランスポートストリームを取得するチューニング部と、
前記取得された多重化トランスポートストリームに対してデマックス処理を行うデマックス部と、
前記取得された電波状態及び前記デマックス処理の結果得られた情報に基づいて、ワンセグ放送及び１２セグ放送のそれぞれに係る情報を混在させたチャンネルリストを生成するチャンネルリスト生成部とを備えた
ことを特徴とするデジタル放送受信装置。
【請求項２】
請求項１に記載のデジタル放送受信装置において、
前記チューニング部は、ビットエラーレート及び搬送波対雑音比の少なくとも一方から電波状況を判断する
ことを特徴とするデジタル放送受信装置。
【請求項３】
請求項１に記載のデジタル放送受信装置において、
前記チャンネルリスト生成部は、１２セグ放送とワンセグ放送のそれぞれの電波状況を混在させたチャンネルリストを生成する
ことを特徴とするデジタル放送受信装置。
【請求項４】
請求項３に記載のデジタル放送受信装置において、
前記チャンネルリスト生成部は、外部から指示されたとき、前記チャンネルリストに含まれる電波状況を更新する
ことを特徴とするデジタル放送受信装置。
【発明の詳細な説明】
【技術分野】
【０００１】
本発明は、デジタル放送受信装置に関し、特に、自動車などに搭載可能なモバイル用途向けのデジタル放送受信装置に関する。
【背景技術】
【０００２】
日本では２００６年４月にモバイル機器向けに地上デジタル放送（１セグメント地上デジタル放送、いわゆるワンセグ放送。以下、ワンセグとも称する。）がスタートした。ワンセグにはＯＦＤＭ（Orthogonal Frequency Division Multiplex）変調方式が採用されており、映像及び音声データの再生劣化が少なく、アナログ放送よりも安定した受信が可能である。ワンセグ放送の登場に伴い、地上デジタル放送を受信可能な移動体端末や携帯端末などが盛んに開発されている。特に、移動体端末については車載を目的としたものが数多く開発されている。
【０００３】
ワンセグ放送には１２セグメント放送（以下、１２セグとも称する。）よりも受信エリアが広いという特徴がある。この特徴を活かして、１２セグが受信できる場合には１２セグのコンテンツを、１２セグは受信できないがワンセグが受信できる場合にはワンセグのコンテンツを再生するデジタル放送受信機器がある。この場合、ワンセグが１２セグのサイマル放送であることが前提となる。このようにワンセグ及び１２セグのいずれも受信でき、かつワンセグが１２セグのサイマル放送であった場合、ワンセグと１２セグの番組情報は同じものであるため、チャンネルリストをほぼ同じものとしてユーザに提示することが可能となる。従来、電波状況を判断し、ワンセグと１２セグとの切り替えを自動で行っている（例えば、特許文献１参照）。
【特許文献１】特開２００２−２３２８０１号公報
【発明の開示】
【発明が解決しようとする課題】
【０００４】
しかし、１２セグの受信状態が悪く映像が乱れていても、ワンセグではなく敢えて１２セグでコンテンツを視聴したいというユーザもいれば、このような場合にはワンセグでコンテンツを視聴したいというユーザもいる。したがって、電波状況に応じてワンセグと１２セグを自動で切り替えてしまうことはユーザの視聴趣向にマッチしないことがある。
【０００５】
上記問題に鑑み、本発明は、ユーザの意思でワンセグと１２セグを切り替え可能にする、また、それを支援するデジタル放送受信装置を提供することを課題とする。
【課題を解決するための手段】
【０００６】
上記議題を解決するために本発明が講じた手段は、デジタル放送受信装置として、ワンセグ放送を受信するための第１の受信部と、１２セグ放送を受信するための第２の受信部と、第１及び第２の受信部に受信すべき周波数を設定するとともに当該周波数の電波状況及び当該周波数で送信される多重化トランスポートストリームを取得するチューニング部と、取得された多重化トランスポートストリームに対してデマックス処理を行うデマックス部と、取得された電波状態及びデマックス処理の結果得られた情報に基づいて、ワンセグ放送及び１２セグ放送に係る情報を含むチャンネルリストを生成するチャンネルリスト生成部とを備えたものとする。
【０００７】
これによると、チャンネルリストによってワンセグ放送及び１２セグ放送のそれぞれの情報が示されるため、ユーザは当該チャンネルリストを見て自分の意思でワンセグと１２セグを切り替えることができる。
【０００８】
具体的には、チューニング部は、ビットエラーレート及び搬送波対雑音比の少なくとも一方から電波状況を判断する。これによると、より正確に電波状況を取得することが可能となる。
【０００９】
好ましくは、チャンネルリスト生成部は、１２セグ放送とワンセグ放送のそれぞれの電波状況を混在させたチャンネルリストを生成するものとする。これによると、ユーザはワンセグ放送及び１２セグ放送のそれぞれの電波状況を確認することができ、電波が良いものを自ら選択できるようになる。
【００１０】
より好ましくは、チャンネルリスト生成部は、外部から指示されたとき、チャンネルリストに含まれる電波状況を更新するものとする。これによると、電波状況の更新タイミングを定期的に行う必要がなくなり、省電力を実現できる。さらに、任意のタイミングで最新の電波状況を知ることができる。
【発明の効果】
【００１１】
以上説明したように本発明によると、ワンセグ及び１２セグのいずれも受信可能な機器において、ユーザがワンセグ及び１２セグのそれぞれの電波状況を判断して、任意にチャンネルをチューニングすることが可能となる。
【発明を実施するための最良の形態】
【００１２】
以下、本発明を実施するための最良の形態について、図面を参照しながら説明する。図１は、本発明に係るデジタル放送受信装置の一実施形態の構成を示す。本デジタル放送受信装置は、ワンセグ受信部１０、１２セグ受信部２０、チューニング部３０、デマックス部４０、メモリ部５０及び６０、チャンネルリスト生成部７０、デコード部８０及び出力部９０を備えている。
【００１３】
ワンセグ受信部１０及び１２セグ受信部２０は、それぞれ、ワンセグ放送及び１２セグ放送を受信する部分である。受信部１０及び２０は、ホイップ（ロッド）アンテナ、ダイポールアンテナ、八木・宇田アンテナ、パラボラアンテナ、ループアンテナ、誘電体アンテナなどの任意のアンテナ（不図示）を備えており、所望の周波数のチューニングを行い、デジタル放送波からデジタルデータを抽出する。当該デジタルデータは所定の規格に準拠して複数のチャンネルの映像データや音声データなどが多重化されたものである。所定の規格として、ＭＰＥＧ（Motion Picture Experts Group）−２やＭＰＥＧ−４などがある。また、ワンセグ放送の場合にはＨ．２６４が使用される。
【００１４】
チューニング部３０は、受信部１０及び２０に対して受信すべき周波数を設定してＴＳ（Transport Stream）を取得できる状態にし、また、受信部１０及び２０のそれぞれの電波状況を取得する。周波数は任意に設定することができる。具体的には、日本の各地域で決められた周波数に設定することで所望のチャンネルのＴＳを取得することが可能となる。チューニング部３０は主にソフトウェアで実装される部分であるが、それに限定されない。また、電波状況の取得は、受信した放送波のＢＥＲ（ビットエラーレート）及び／又はＣＮＲ（搬送波対雑音比）に基づいて判断することが可能である。
【００１５】
デマックス部４０は、チューニング部３０によって取得された多重化ＴＳから各チャンネルの映像データ、音声データ、ＰＳＩ（Program Specific Information）及びＳＩ（Service Information）情報などを分離・抽出する。音声データはＡＣ３（Audio Code number 3）規格で、特にワンセグ放送の場合にはＡＡＣ（Advanced Audio Coding）などで圧縮処理されている。なお、デマックス部４０はハードウェア及びソフトウェアのいずれでも実現可能である。また、デマックス部４０は、暗号化されたデジタルデータを復号できるものであってもよい。これにより、ＲＭＰ（Rights Management & Protection）などの著作権保護の方式に対応することができる。
【００１６】
メモリ部５０は、チューニング部３０で取得した電波状況を記憶する。また、メモリ部６０は、デマックス部４０から出力されるデータを一時的に記憶する。メモリ部５０及び６０は、フラッシュメモリなどの不揮発性メモリ、ＤＲＡＭ（Dynamic Random Access Memory）などの揮発性メモリなどの任意のメモリで構成することができる。また、ＳＤ（Secure Digital）カードなどの外部メモリやハードディスク装置で構成することも可能である。
【００１７】
チャンネルリスト生成部７０は、メモリ部５０及び６０のそれぞれに記憶されている電波状況及びＳＩ情報などを用いてチャンネルリストを生成する。図２は、チャンネルリストの画面表示例を示す。チャンネルリストは、１チャンネル毎に、物理チャンネル番号、電波状況、番組タイトル名を含んでいる。なお、チャンネルリストに各チャンネルのＳＩ情報の任意のパラメータを含めてもよい。
【００１８】
デコード部８０は、メモリ部６０に一時記憶されているデータを読み出して当該データをデコードし、映像及び／又は音声データを出力する。より詳細には、デコード部８０は、ＰＴＳ（Presentation Time Stamp）情報などの時間情報を用いて映像及び／又は音声データの出力タイミングを制御する。
【００１９】
出力部９０は、チャンネルリスト生成部７０からＯＳＤデータを取得するとともに、デコード部８０から取得したＡＶデータを取得し、これらデータを混在させてＬＣＤやスピーカ（不図示）などのデバイスに出力する。具体的には、出力部９０は、液晶ディスプレイ、有機ＥＬディスプレイ、表面電界ディスプレイなどの画像出力装置やスピーカなどの音声出力装置によって、合成させた映像及び／又は音声をユーザに提示する。
【００２０】
次に、図３のフローチャートを参照しながら、本デジタル放送受信装置の動作について説明する。
【００２１】
まず、ワンセグ及び１２セグとも指定された周波数でチューニングを行い、その電波を受信し、有意なデータを受信して多重化デジタルデータ（例えば、多重ＴＳ）に変換する（Ｓ１１、Ｓ２１）。有意なデータが存在すれば、電波状況を保存する（Ｓ１２、Ｓ２２）。そして、得られた多重化デジタルデータを所定の規格に従って分離して（Ｓ１３、Ｓ２３）、目的のチャンネルのデータを取得し、当該目的のチャンネルの映像データなどを所定のフォーマットで保存する（Ｓ１４、Ｓ２４）。このフォーマットは、ファイルシステム及び独自のフォーマット形式のいずれであってもよい。その後、保存された映像データなどのデコード処理を行う（Ｓ１５、Ｓ２５）。
【００２２】
一方、上記各ステップと並行して、チャンネルリストの表示がされたか否かを判定する。具体的には、チャンネルリストの表示キーが押されたか否かを判定する（Ｓ４１）。キーが押されていない場合には、キーが押されるまでループする。キーが押されたと判断した場合、すでに保存されている電波状況を取得し（Ｓ４２）、さらに、すでに保存されているＳＩ情報を取得する（Ｓ４３）。そして、取得した電波状況及びＳＩ情報に基づいてチャンネルリストを生成する（Ｓ４４）。生成されたチャンネルリストはＯＳＤデータとして保存される（Ｓ４５）。ステップＳ１５及びＳ２５でデコードされたデータ及びステップＳ４５で生成されたＯＳＤデータは合成されて（Ｓ３１）、ＬＣＤやスピーカに出力される（Ｓ３２）。
【００２３】
以上、本実施形態によると、チャンネルリストにワンセグ及び１２セグが混在させて表示され、さらにそれぞれの電波状況が提示されるため、ユーザの趣向に合わせてワンセグと１２セグを切り替えることが可能となる。
【産業上の利用可能性】
【００２４】
本発明に係るデジタル放送受信装置は、ワンセグ、１２セグの電波状況によって視聴する放送をユーザが切り替えることができるため、携帯電話機などのモバイル機器やカーナビゲーションシステムなどの車載機器として有用である。
【図面の簡単な説明】
【００２５】
【図１】本発明に係るデジタル放送受信装置の構成図である。
【図２】チャンネルリストの画面表示例を示す図である。
【図３】本発明に係るデジタル放送受信装置のフローチャートである。
【符号の説明】
【００２６】
１０  受信部（第１の受信部）
２０  受信部（第２の受信部）
３０  チューニング部
４０  デマックス部
７０  チャンネルリスト生成部
【図１】
2008136084.tif 000003
【図２】
2008136084.tif 000004
【図３】
2008136084.tif 000005